(57)【特許請求の範囲】
【請求項１】
カーテンレール本体と、カーテンレール本体の端部を隠すキャップとを備えたカーテンレールであって、
前記キャップは、その板状のキャップ本体に前記カーテンレール本体の端部に取着されるレール取着部が設けられ、該レール取着部からレール取付面側である後方側に向けて前記キャップ本体を突き出させて後方突出部を構成し、該後方突出部における前記レール取着部が設けられる側の面である内側面にフックホルダ取付部を形成した板状部が設けられ、該板状部と前記板状のキャップ本体との間に隙間が形成され、前記フックホルダ取付部はフックホルダの前後方向の取付位置を調節可能とされたことを特徴とするカーテンレール。
【請求項２】
請求項１に記載のカーテンレールにおいて、
前記カーテンレール本体は、前後方向に一対設けられるとともに前記レール取付面に固定するための取付ブラケットに保持され、
前記後方突出部は、前記取付ブラケットの前記レール取付面側への突き出し端部までに一定の微細な隙間を有するように後方側に突き出され、前記後方突出部を含む前記キャップ本体の外側面は、前後方向の全長に亘って一連の意匠面を有することを特徴とするカーテンレール。
【請求項３】
請求項１に記載のカーテンレールにおいて、
前記カーテンレール本体は、単一で設けられるとともに前記レール取付面に固定するための取付ブラケットに保持され、
前記後方突出部は、前記取付ブラケットの前記レール取付面側への突き出し端部までに一定の微細な隙間を有するように後方側に突き出され、前記後方突出部を含む前記キャップ本体の外側面は、前後方向の全長に亘って一連の意匠面を有することを特徴とするカーテンレール。
【請求項４】
請求項１乃至３のいずれか１項に記載のカーテンレールにおいて、
前記フックホルダ取付部は、それぞれ前記フックホルダを取付可能な複数の取付部にて構成されたことを特徴とするカーテンレール。
【請求項５】
請求項１乃至４のいずれか１項に記載のカーテンレールにおいて、
前記フックホルダ取付部は、前記フックホルダを係着可能な係着部であることを特徴とするカーテンレール。
【請求項６】
請求項５に記載のカーテンレールにおいて、
前記係着部は、外側面が意匠面を構成する前記後方突出部とは異なる板状部の前後方向に複数設けられた開口であることを特徴とするカーテンレール。
【請求項７】
請求項１乃至６のいずれか１項に記載のカーテンレールにおいて、
前記キャップは、前記後方突出部を含む前記キャップ本体、前記レール取着部、及びフックホルダ取付部が一体成形されてなることを特徴とするカーテンレール。
【請求項８】
カーテンレール本体の端部を隠すキャップであって、
その板状のキャップ本体に前記カーテンレール本体の端部に取着されるレール取着部が設けられ、該レール取着部からレール取付面側である後方側に向けて前記キャップ本体を突き出させて後方突出部を構成し、該後方突出部における前記レール取着部が設けられる側の面である内側面にフックホルダ取付部を形成した板状部が設けられ、該板状部と前記板状のキャップ本体との間に隙間が形成され、前記フックホルダ取付部はフックホルダの前後方向の取付位置を調節可能とされたことを特徴とするキャップ。
【請求項９】
請求項１乃至８のいずれか１項に記載のキャップの前記フックホルダ取付部に取付可能なフックホルダであって、
透明な材料よりなることを特徴とするフックホルダ。
【発明の詳細な説明】
【技術分野】
【０００１】
本発明は、カーテンレール、カーテンレール本体の端部を隠すキャップ、及びそのキャップに取付られるフックホルダに関するものである。
【背景技術】
【０００２】
カーテンレールにおいて、カーテンレール本体の端部には、キャップが取着される。このキャップは、合成樹脂等からなり、カーテンレール本体の端部を覆い美観を向上させる機能や、カーテンレール本体内を移動するランナーのストッパーとしての機能等を有する。
【０００３】
又、このようなキャップとしては、カーテンレール本体の端部に取着されるレール取着部を有するとともに、そのレール取着部よりもレール取付面（窓が設けられる壁面）側である後方側に向かって延びる後方突出部を有し、その後方突出部にフックホルダが一体成形されたものがある（例えば、特許文献１参照）。
【０００４】
又、キャップとしては、一対のカーテンレール本体の端部毎（前方側と後方側）に別々に取着される２つの分割キャップを備え、それら２つの分割キャップが前後方向に摺動可能に連結されてなるものがある（例えば、特許文献２参照）。このキャップでは、後方側の分割キャップに、後方突出部が形成され、その後方突出部にフックホルダが一体成形されている。
【０００５】
上記のようなフックホルダは、カーテンの端部（具体的には、その端部に取着されるフック）を吊下支持可能とされたものであって、全体がカーテンレール本体に沿って（ランナーに）吊下支持されたカーテンの端部側を折り曲げた（リターンした）状態で支持するためのものである。よって、このようにフックホルダを有するものでは、カーテンの端部側（リターン部分）によりカーテンレール本体の端部とレール取付面（窓が設けられる壁面）との間からの光の漏れを防ぐことが可能となる。
【先行技術文献】
【特許文献】
【０００６】
【特許文献１】意匠登録第１３０６７３６号公報
【特許文献２】実開昭５７−１８９４８８号公報
【発明の概要】
【発明が解決しようとする課題】
【０００７】
しかしながら、上記したキャップにフックホルダが一体成形されたものでは、カーテンレールの取付ブラケットをレール取付面に取付ける際に、例えば下地の関係等でレール取付面から出っ張った窓枠に近接して取付けることになると、フックホルダが窓枠に当接してしまう場合があり、この場合フックホルダを切除して対応することになってしまう。よって、カーテンレールの取付時に、手間の掛かる作業をしいられるという問題がある。
【０００８】
又、後方側の分割キャップにフックホルダが一体成形されたものでは、上記のような場合、後方側の分割キャップを前方側に摺動させることでフックホルダを窓枠と当接しないようにすることができるものの分割キャップを後方側のカーテンレール本体と固定したままではフックホルダと共に後方側のカーテンレール本体も前方側に移動してしまうので、後方側のレール取着部のねじを緩めなければならなくなるという問題がある。また、窓枠の出っ張りが大きいと後方側のレール取着部の長穴の長さでは足りない場合もある。
【０００９】
本発明は、上記課題を解決するためになされたものであって、その目的は、各取付条件下でも容易に取付けることができるカーテンレール、キャップ及びそのキャップに取付られるフックホルダを提供することにある。
【課題を解決するための手段】
【００１０】
請求項１に記載の発明では、カーテンレール本体と、カーテンレール本体の端部を隠すキャップとを備えたカーテンレールであって、前記キャップは、その板状のキャップ本体に前記カーテンレール本体の端部に取着されるレール取着部が設けられ、該レール取着部からレール取付面側である後方側に向けて前記キャップ本体を突き出させて後方突出部を構成し、該後方突出部における前記レール取着部が設けられる側の面である内側面にフックホルダ取付部を形成した板状部が設けられ、該板状部と前記板状のキャップ本体との間に隙間が形成され、前記フックホルダ取付部はフックホルダの前後方向の取付位置を調節可能とされた。
【００１１】
請求項２に記載の発明では、請求項１に記載のカーテンレールにおいて、前記カーテンレール本体は、前後方向に一対設けられるとともに前記レール取付面に固定するための取付ブラケットに保持され、前記後方突出部は、前記取付ブラケットの前記レール取付面側への突き出し端部までに一定の微細な隙間を有するように後方側に突き出され、前記後方突出部を含む前記キャップ本体の外側面は、前後方向の全長に亘って一連の意匠面を有する。
【００１２】
請求項３に記載の発明では、請求項１に記載のカーテンレールにおいて、前記カーテンレール本体は、単一で設けられるとともに前記レール取付面に固定するための取付ブラケットに保持され、前記後方突出部は、前記取付ブラケットの前記レール取付面側への突き出し端部までに一定の微細な隙間を有するように後方側に突き出され、前記後方突出部を含む前記キャップ本体の外側面は、前後方向の全長に亘って一連の意匠面を有する。
【００１３】
請求項４に記載の発明では、請求項１乃至３のいずれか１項に記載のカーテンレールにおいて、前記フックホルダ取付部は、それぞれ前記フックホルダを取付可能な複数の取付部にて構成された。
【００１４】
請求項５に記載の発明では、請求項１乃至４のいずれか１項に記載のカーテンレールにおいて、前記フックホルダ取付部は、前記フックホルダを係着可能な係着部である。
請求項６に記載の発明では、請求項５に記載のカーテンレールにおいて、前記係着部は、外側面が意匠面を構成する前記後方突出部とは異なる板状部の前後方向に複数設けられた開口である。
【００１５】
請求項７に記載の発明では、請求項１乃至６のいずれか１項に記載のカーテンレールにおいて、前記キャップは、前記後方突出部を含む前記キャップ本体、前記レール取着部、及びフックホルダ取付部が一体成形されてなる。
【００１６】
請求項８に記載の発明では、カーテンレール本体の端部を隠すキャップであって、その板状のキャップ本体に前記カーテンレール本体の端部に取着されるレール取着部が設けられ、該レール取着部からレール取付面側である後方側に向けて前記キャップ本体を突き出させて後方突出部を構成し、該後方突出部における前記レール取着部が設けられる側の面である内側面にフックホルダ取付部を形成した板状部が設けられ、該板状部と前記板状のキャップ本体との間に隙間が形成され、前記フックホルダ取付部はフックホルダの前後方向の取付位置を調節可能とされた。
【００１７】
請求項９に記載の発明では、請求項１乃至８のいずれか１項に記載のキャップの前記フックホルダ取付部に取付可能なフックホルダであって、透明な材料よりなる。
【発明の効果】
【００１８】
本発明によれば、各取付条件下でも容易に取付けることができるカーテンレール、キャップ及びそのキャップに取付られるフックホルダを提供することができる。
【図面の簡単な説明】
【００１９】
【図１】（ａ）本実施の形態におけるキャップの斜視図。（ｂ）同じくフックホルダの斜視図。（ｃ）同じくフックホルダ取付部とフックホルダの取付状態の断面図。
【図２】本実施の形態のカーテンレールの一部斜視図。
【図３】本実施の形態のキャップ及びフックホルダを説明するための正面図。
【図４】（ａ）〜（ｃ）本実施の形態におけるカーテンレールの取付例を説明するための模式図。
【発明を実施するための形態】
【００２０】
以下、本発明を具体化した実施の形態を図１〜図４に従って説明する。
図１（ａ）、図２、及び図４に示すように、カーテンレールのカーテンレール本体１１，１２は、下方が開口した略筒状に形成され、取付ブラケット１３（図４参照）に保持され、該取付ブラケット１３を介してレール取付面としての（窓が設けられる）壁面１４に取付られる。
【００２１】
本実施の形態のカーテンレール本体１１，１２は、取付ブラケット１３によって平行を保たれた状態で（前後方向に）一対設けられている。各カーテンレール本体１１，１２には、その長手方向に沿って移動可能なランナー１５が設けられている。前記壁面１４側である後方側のカーテンレール本体１１のランナー１５には、例えば、レースのカーテンが図示しないフックを介して吊下支持され、前方側のカーテンレール本体１２のランナー１５には、例えば、遮光のカーテン１６がフックを介して吊下支持される。
【００２２】
そして、カーテンレール本体１１，１２の端部には、該端部を隠すキャップ２１が取着される。キャップ２１は、図１（ａ）に示すように、一対のカーテンレール本体１１，１２の端部を連続して（１つの部材で）隠すように前後方向に延びる板状のキャップ本体２１ａと、該キャップ本体２１ａの内側面に設けられてカーテンレール本体１１，１２の各端部に嵌合される２つのレール取着部２１ｂ，２１ｃとを備える。
【００２３】
又、キャップ２１は、レール取着部２１ｂから後方側（壁面１４側）に向けてキャップ本体２１ａを突き出させて構成される後方突出部２１ｄを有し、該後方突出部２１ｄにおける内側面には、図１（ｂ）に示すフックホルダ３１を取付可能なフックホルダ取付部３２が設けられている。そして、フックホルダ取付部３２は、取付られるフックホルダ３１の前後方向の取付位置を調節可能に構成されている。
【００２４】
詳述すると、図１（ａ）、（ｃ）に示すように、後方突出部２１ｄを含むキャップ本体２１ａにおいて後方側端部を除く内側面の縁には、内枠部２１ｅが立設されている。又、後方突出部２１ｄには、図１（ａ）に示すように、上下の前記内枠部２１ｅを連結するように連結壁部２１ｆが形成されている。そして、後方突出部２１ｄには、上下の前記内枠部２１ｅと前記連結壁部２１ｆとの先端と連続して後方突出部２１ｄ（キャップ本体２１ａ）と平行な板状部２１ｇが一体成形されている。この板状部２１ｇには前後方向に一対の開口が形成され、それらが２つの取付部３２ａ，３２ｂを構成している。そして、本実施の形態では、それぞれフックホルダ３１を取付可能な２つの取付部３２ａ，３２ｂがフックホルダ取付部３２を構成している。
【００２５】
又、後方突出部２１ｄを含むキャップ本体２１ａの外側面の縁には、僅かに突出する外枠部２１ｈ（図１（ｃ）及び図２参照）が形成され、その外枠部２１ｈに取り囲まれたキャップ本体２１ａの外側面には、サイドカバーシート３３（本実施の形態ではオレフィン系樹脂シート）が添着されている。サイドカバーシート３３は、例えばその表面全体に木目などの意匠面を有し、キャップ本体２１ａ（後方突出部２１ｄ含む）の外側面は前後方向の全長に亘って一連の意匠面を有することになる。
【００２６】
又、後方突出部２１ｄは、図４（ａ）に示すように、前記取付ブラケット１３の壁面１４側への突き出し端部１３ａ（即ち取付られた状態で壁面１４）までに一定の微細な隙間Ｓ（できるだけ壁面１４に寄せつつ前記端部１３ａとキャップ２１の後方側端部との前後の誤差を安全側に考慮した数ｍｍであって、本実施の形態では２ｍｍ）を有するように後方側に突き出されている。
【００２７】
一方、フックホルダ３１は、透明な合成樹脂よりなり、図１（ｂ）、（ｃ）に示すように、本体部３１ａから下方に延びてカーテン１６（図２参照）の端部に取着された図示しないフックを引っ掛けることが可能なフック係合部３１ｂと、本体部３１ａから側方に延びるとともにその先端側が下方に延びるフック部３１ｃとを有する。これら構成により、前記フックホルダ取付部３２（その取付部３２ａ，３２ｂ）は、図１（ｃ）に示すように、フックホルダ３１（そのフック部３１ｃ）を係着可能な係着部とされている。尚、具体的には、フックホルダ３１のフック部３１ｃを取付部３２ａ及び取付部３２ｂのいずれか一方に挿入し、フックホルダ３１を引き下げることで、図１（ｃ）に示すように、フックホルダ３１がフックホルダ取付部３２（取付部３２ａ又は取付部３２ｂ）に係着されることになる。
【００２８】
次に、本実施の形態の作用について記載する。
例えば、図４（ａ）に示すように、取付ブラケット１３を取付ける位置に近接して壁面１４から出っ張った窓枠がない、若しくは取付ける位置が窓枠から離れている場合は、フックホルダ３１を後方側の取付部３２ａ（壁面最接近位置であり図１（ａ）参照）に取付け、そのフックホルダ３１にカーテン１６の端部に取着されるフックを吊下支持させる。このようにすると、カーテン１６の端部と壁面１４との隙間が極小さくなり、その間からの光の漏れが防止される。
【００２９】
又、例えば、図４（ｂ）に示すように、壁面１４から出っ張った窓枠１４ａに近接して取付ブラケット１３を取付ける場合は、フックホルダ３１を前方側の取付部３２ｂ（窓枠退避位置であり図１（ａ）参照）に取付け、そのフックホルダ３１にカーテン１６の端部に取着されるフックを吊下支持させる。このようにすると、カーテン１６の端部と壁面１４との隙間が小さくなり、その間からの光の漏れが防止される。
【００３０】
又、例えば、図４（ｃ）に示すように、壁面１４から大きく出っ張った窓枠１４ｂに近接して取付ブラケット１３を取付ける場合は、フックホルダ３１を取付けない（あるいは取り外す）ようにして対応することができる。
【００３１】
次に、上記実施の形態の特徴的な効果を以下に記載する。
（１）フックホルダ取付部３２はフックホルダ３１の前後方向の取付位置を調節可能とされるため、図４（ａ）〜（ｃ）に示すように、各取付条件下でもカーテンレール本体１１の前後方向の位置を変更させず、またフックホルダを切除するといった手間の掛かる作業を行う必要がない。又、図４（ａ）、（ｂ）に示す場合では、上記効果を得ながら光の漏れを防ぐ効果を得ることができる。
【００３２】
（２）フックホルダ取付部３２は、後方突出部２１ｄにおけるレール取着部２１ｂ，２１ｃが設けられる側の面である内側面に設けられるため、例えば外側面側や下側に設けた場合に比べて、フックホルダ取付部３２が外部から見え難くなり、ひいては美観が向上される。
【００３３】
（３）後方突出部２１ｄは取付ブラケット１３の壁面１４側への突き出し端部１３ａまでに一定の微細な隙間Ｓを有するように後方側に突き出され、取付られた状態で壁面１４に対して一定の微細な隙間Ｓしか生じず、また後方突出部２１ｄを含むキャップ本体２１ａの外側面は前後方向の全長に亘って一連の意匠面を有するため、美観が良好となる。前記意匠面は、詳しくは、少なくとも後方側のカーテンレール本体１１の端部から前方側のカーテンレール本体１２の端部までを含む前後方向の範囲で連続して設けられるため、例えば、その範囲の途中で意匠面が変化してしまうようなものに比べて、美観が良好となる。
【００３４】
（４）フックホルダ取付部３２は、それぞれフックホルダ３１を取付可能な複数（本実施の形態では２つ）の取付部３２ａ，３２ｂにて構成されるため、複数段階で前後方向の位置を調節することができる。
【００３５】
（５）フックホルダ取付部３２（取付部３２ａ，３２ｂ）は、フックホルダ３１（フック部３１ｃ）を係着可能な係着部であるため、ねじ等で締結固定する場合に比べてねじ等の部材が不要となるとともに、容易な着脱が可能となる。具体的には、フックホルダ取付部３２（取付部３２ａ，３２ｂ）は、外側面が意匠面を構成する後方突出部２１ｄとは異なる板状部２１ｇの前後方向に複数設けられた開口であるため、後方突出部２１ｄにて意匠面を良好としながら、フック部３１ｃを有したフックホルダ３１の容易な着脱が可能となる。
【００３６】
（６）キャップ本体２１ａ（後方突出部２１ｄ含む）、レール取着部２１ｂ，２１ｃ、及び板状部２１ｇ（フックホルダ取付部３２含む）が一体成形されるため、一部を別体として製造して組み付けてなるものに比べて、安価に製造することが可能となる。
【００３７】
（７）フックホルダ３１は、透明な材料（本実施の形態では合成樹脂）よりなるため、例えば色等の種類が異なる各キャップ２１に共用部品として違和感なく用いることができる。即ち、フックホルダ３１を共通部品として、全体の低コスト化を図ることが可能となる。
【００３８】
上記実施の形態は、以下の態様で実施してもよい。
・上記実施の形態では、キャップ本体２１ａ（後方突出部２１ｄ含む）、レール取着部２１ｂ，２１ｃ、及び板状部２１ｇ（フックホルダ取付部３２）等が一体成形されたキャップ２１に具体化したが、これに限定されず、少なくとも一部が別体として製造され、組み付けられてなるものとしてもよい。
【００３９】
例えば、キャップ本体（後方突出部含む）の外側面側を別体で前後方向の全長に亘って一連の意匠面を有する外側面部材とし、その外側面部材を、内側面側のレール取着部や板状部（フックホルダ取付部）等を有した内側面部材にねじ等で組み付けてキャップを構成してもよい。この場合、例えば、内側面部材における板状部（フックホルダ取付部）の外側面側を開放させて製造し、その部分を外側面部材（その後方突出部）で閉塞するようにしてもよい。このようにすると、キャップ本体の外側面を外側面部材によって前後方向の全長に亘って一連の意匠面を有するものとして美観を良好としながら、板状部（フックホルダ取付部）を容易に（スライドコア等を用いず）製造することができる。又、この場合、外側面部材を木製（内側面部材は合成樹脂製）とすることで、全体を合成樹脂製としたものに比べてより美観（質感）を向上させることができる。
【００４０】
・上記実施の形態では、フックホルダ取付部３２は、２つの取付部３２ａ，３２ｂにて構成されるとしたが、取付られるフックホルダの前後方向の位置を調節可能に構成されていれば、他の構成に変更してもよい。例えば、フックホルダ取付部は、前後方向に３つ以上の取付部にて構成してもよい。
【００４１】
又、例えば、フックホルダ取付部は、前後方向に沿って延びその前後方向の任意の部分にフックホルダを取着できる（フックホルダを前後方向にスライド移動できる）長穴にて構成してもよい。
【００４２】
・上記実施の形態では、フックホルダ取付部３２（取付部３２ａ，３２ｂ）は、フックホルダ３１を係着可能な係着部であるとしたが、フックホルダを取付けることができれば他の構成に変更してもよい。例えば、フックホルダ取付部は、フックホルダをねじ等で締結固定可能とすべく設けられた前後方向に複数のねじ穴で構成してもよい。
【００４３】
・上記実施の形態では、フックホルダ３１は、透明な合成樹脂よりなるとしたが、透明な他の材料よりなるものとしてもよいし、勿論、透明でない材料よりなるものとしてもよい。
【００４４】
・上記実施の形態では、キャップ２１は、一対のカーテンレール本体１１，１２に対応した（２つのレール取着部２１ｂ，２１ｃを有する）ものとしたが、これに限定されず、単一のカーテンレール本体に対応した（１つのレール取着部しか有していない）ものに変更してもよい。
【００４５】
上記実施形態から把握できる技術思想を以下に記載する。
（付記１）前記キャップ本体の外側面が有する意匠面は、少なくとも後方側のカーテンレール本体の端部から前方側のカーテンレール本体の端部までを含む前後方向の範囲で連続して設けられたことを特徴とするカーテンレール。
【００４６】
（付記２）カーテンレール本体の端部を隠すキャップを備えたカーテンレールであって、カーテンレール本体を保持し壁面に固定するための取付ブラケットの壁面からカーテンレール本体までの突き出し量に合わせ、一定の微細な隙間のみを有するように前記キャップをカーテンレール本体から壁面側に向けてキャップ本体を突き出させて形成し、前記キャップは壁面最接近位置と窓枠退避位置とにフックホルダをどちらへも選択的に取付け取外し可能としたフックホルダ取付部を有することを特徴とするカーテンレール。
【符号の説明】
【００４７】
１１，１２…カーテンレール本体、１３…取付ブラケット、１４…壁面（レール取付面）、２１…キャップ、２１ａ…キャップ本体、２１ｂ，２１ｃ…レール取着部、２１ｄ…後方突出部、２１ｇ…板状部、３１…フックホルダ、３２…フックホルダ取付部（係着部）、３２ａ，３２ｂ…取付部（開口）、Ｓ…隙間。
【図１】
0005784951.tif 000002
【図２】
0005784951.tif 000003
【図３】
0005784951.tif 000004
【図４】
0005784951.tif 000005